(57)【要約】【課題】    弾性シートが収縮するときの復元力を利用して補修材をひび割れに注入する注入器具において、補修材を弾性シート内に供給する供給管の取付け角度が自在に変更できようにした注入器具を提供すること。【解決手段】    注入器具が、台座１０と弾性シート１１と固定リング１２とからなり、台座１０と固定リング１２に形成した補修材供給位置に補修材供給部材１３を設ける。補修材供給部材１３は、補修材導入管１３１と該補修材導入管の頂部に補修材供給管１３２の下端を球状体１３５に形成して補修材導入管１３１にＯリング１３６介して接合し、補修材導入管１３１と補修材供給管１３２の接合部に外装管１３３を装着する。補修材導入管１３１に逆止弁１４を設ける。台座１０に補修材導入管１３１と連通し弾性シート１１の下面に開口する補修材供給路１５を設け、台座１０に補修材排出口１６を設ける。【選択図】    図２
0003140144.tif 000002
【実用新案登録請求の範囲】
【請求項１】
注入器具が、台座（１０）と、該台座に重合した弾性シート（１１）と、該弾性シートを挟持固定する固定リング（１２）とからなり、上記台座と上記固定リングの一部から張出した位置に補修材供給部材（１３）を設けたものであって、上記補修材供給部材は、補修材導入管（１３１）を設け、該補修材導入管の頂部に補修材供給管（１３２）の下端を球状体（１３５）に形成して当該補修材導入管にＯリング（１３６）介して取付け角度を変更できるように接合するとともに、上記補修材導入管と上記補修材供給管の接合部に外装管（１３３）を装着し、上記補修材導入管に逆止弁（１４）を設け、上記台座に上記補修材導入管と連通し上記弾性シートの下面に開口する補修材供給路（１５）を設け、上記台座に補修材を排出するための補修材排出口（１６）を設けたことを特徴とするコンクリート用ひび割れ補修材の注入器具。
【請求項２】
補修材供給管（１３２）の傾斜角度は、垂直線から左右に１０度程度であり、全体で概ね２０度の範囲で取付け角度が調整できるようにしたことを特徴とする請求項１に記載のコンクリート用ひび割れ補修材の注入器具。
【考案の詳細な説明】
【技術分野】
【０００１】
本考案は、コンクリート構造物のひび割れ補修工事に用いる補修材の注入器具に関するものである。
【背景技術】
【０００２】
コンクリートのひび割れに補修材を注入するための注入器具は知られており、例えば、弾性シートを補修材で膨らませ、弾性シートが収縮するときの復元力を利用して補修材をひび割れに注入するものであって、弾性シートを台座と固定リングで挟持し、補修材注入口を当該固定リングに設けたものが知られている（特許文献１）。
【０００３】
特許文献１に記載の注入器具は、注出口３（公報記載の符号であって以下同じ）を設けた台座１と、台座１の上面に設けた弾性シート９と、弾性シート９と台座１とを挟持固定する固定リング１１とからなり、台座１に先端が弾性シート９との間に開口する注入路２を設けるとともに、注入路２に通じる台座１に逆止弁８を内蔵した注入管６を接続固定したものであって、注入管６から補修材を圧入して弾性シート９を膨らませ、当該弾性シート９の復元力を利用して補修材を注出口３からコンクリートのひび割れに注入するものである。
【０００４】
上記した注入器具は、注入管６が台座１に固定されているので、注入管６の注入角度が固定的なものであり補修材が注入し難いと言った問題を抱えていた。なぜなら、注入管６が弾性シート９に接近しているので、注入作業を開始すると弾性シート９が膨らんできて注入し難くなることと、コンクリートのひび割れ補修工事を行う壁面が床の下面など補修工事自体がし難いところでは、注入作業も自ずと容易でないことになり改善されるべき問題となっていた。
【０００５】
【特許文献１】特開平９−３２３０８号公報
【考案の開示】
【考案が解決しようとする課題】
【０００６】
本考案の課題は、弾性シートが収縮するときの復元力を利用して補修材をひび割れに注入する注入器具において、補修材を弾性シート内に供給する供給管の取付け角度が自在に変更できようにした注入器具を提供することである。
【課題を解決するための手段】
【０００７】
解決手段の第１は、注入器具が、台座と、該台座に重合した弾性シートと、該弾性シートを挟持固定する固定リングとからなり、上記台座と上記固定リングの一部から張出した位置に補修材供給部材を設けたものであって、上記補修材供給部材は、補修材導入管を設け、該補修材導入管の頂部に補修材供給管の下端を球状体に形成して上記補修材導入管にＯリング介して取付け角度を変更できるように接合するとともに、上記補修材導入管と上記補修材供給管の接合部に外装管を装着し、上記補修材導入管に逆止弁を設け、上記台座に上記補修材導入管と連通し上記弾性シートの下面に開口する補修材供給路を設け、上記台座に補修材を排出するための補修材排出口を設けたことを特徴とするものである。
【０００８】
解決手段の第２は、解決手段の第１において、補修材供給管の傾斜角度が垂直線から左右に１０度程度であり、全体で概ね２０度の範囲で取付け角度が調整できるようにしたことを特徴とするものである。
【考案の効果】
【０００９】
請求項１は、台座と、該台座に重合した弾性シートと、該弾性シートを挟持固定する固定リングとからなり、上記台座と上記固定リングの一部から張出した位置に補修材供給部材を設けた注入器具において、上記補修材供給部材が、補修材導入管に補修材供給管が取付け角度を変更できるように接合されており、当該接合面が、補修材供給管の下端に形成した球状体と該球状体と接合するＯリングを有するものであるから、上記補修材供給管の取付け角度が自在に変更でき、これにより注入器具への補修材の供給が容易となり、したがって、補修作業がし難い箇所でのひび割れ補修工事が容易となることの効果を奏するものである。
【００１０】
請求項２は、補修材供給管の傾斜角度が、垂直線に対し左右に１０度程度であり全体で概ね２０度の範囲で取付け角度が調整できるようにしたものであるから、注入器具への補修材の供給が容易となっている。
【考案を実施するための最良の形態】
【００１１】
図１は本考案に係る注入器具の全体構造を示す斜視図、図２は器具全体の縦断面図、図３は使用状態を示す断面図である。
【００１２】
図１，図２において、注入器具１は、円形平板の台座１０、該台座１０に重合した弾性シート１１、該弾性シート１１を挟着固定する固定リング１２とからなるものであって、上記台座１０及び上記固定リング１２の一部を張出して形成した補修材供給位置１０１に補修材を当該台座１０と上記弾性シート１１との間に供給する補修材供給部材１３を設けたものである。なお、上記弾性シート１１には、円盤状に形成された外周縁部をリング周縁１１１に形成し、また、上記固定リング１２の接合面には、弾性シート１１のリング周縁１１１が嵌合するリング周溝１２１を形成し、上記台座２に弾性シート１１を重合したとき、リング周縁１１１が固定リング１２のリング周溝１２１に嵌合状態で固定されるものであるから、弾性シート１１が補修材の供給を受けて膨らんだ場合でも当該シートが外れないようになっている。
【００１３】
上記補修材供給部材１３は、上記補修材供給位置１０１に補修材導入管１３１を設け、該補修材導入管１３１の頂部に補修材供給管１３２を取付け角度が変更できるように載置するとともに、両部材の接合部に外装管１３３を装着したものであって、上記補修材導入管１３１の頂部を階段状の係合段部１３４に形成し、上記補修材供給管１３２の下端を球状体１３５に形成し、上記係合段部１３４にＯリング１３６を挿入して補修材導入管１３１に補修材供給管１３２を接合したものである。また、上記外装管１３３は、頂部開口部を小径に形成した係合爪１３７を補修材注入管１３２の球状体１３５に係合して当該補修材供給管１３２が外装管１３３から抜け出ないようにしている。
【００１４】
上記補修材導入管１３１には、逆止弁１４が収容されており、補修材供給管１３２から補修材が供給されると補修材の供給圧力によって弁座１４１が下がり上記補修材供給管１３２と当該補修材導入管１３１が「通」状態になる。図中、１５は上記台座１０に補修材導入管１３１と連通し上記弾性シート１１の下面に向って開口する補修材供給路、１６は台座１０に形成した補修材排出口である。
【００１５】
上記補修材供給管１３２の傾斜角度は、垂直線から左右に１０度程度であり、全体で概ね２０度の範囲で取付け角度が調整できるようになっている。
【００１６】
図３を参照して、注入器具１はコンクリート２のひび割れ部３の表面に接着剤４により固定し、補修材注入管１３２から補修材５を供給し、補修材５の供給圧力によって弾性シート１１を図示したように膨らませる。台座１０と弾性シート１１との間に供給された補修材５は当該弾性シート１１の復元力を利用して補修材排出口１６から排出されてひび割れ部３に注入され、コンクリート２のひび割れ３の奥部まで補修材５を注入して修復するものである。
【００１７】
上記したように、本考案は、補修材供給管１３２の取付け角度を自在に変更できるようにしたものであるから、補修材供給管１３２から補修材５を供給するに際し、当該補修材供給管１３２の取付け角度を自由に選択できるので、注入器具１への補修材の供給が容易となり、したがって、補修作業がし難い箇所でのひび割れ補修工事が容易となるものである。
【００１８】
また、補修材供給管１３２は、全体で概ね２０度の範囲で自在に傾斜させることができるものであるから、注入器具１への補修材の供給が容易となっている。
【００１９】
なお、図示していないが、コンクリート２の表面に出来たひび割れ３が長い場合は、当該ひび割れ３に沿って注入器具１を複数個並べて設置するものとする。
【図面の簡単な説明】
【００２０】
【図１】本考案に係る注入器具の全体構造を示す斜視図。
【図２】器具全体の縦断面図。
【図３】使用状態を示す断面図。
【符号の説明】
【００２１】
１  注入器具
２  コンクリート
３  ひび割れ部
４  接着剤
５  補修材
１０  台座
１０１  補修材供給位置
１１  弾性シート
１１１  リング周縁
１２  固定リング
１２１  リング周溝
１３  補修材供給部材
１３１  補修材導入管
１３２  補修材供給管
１３３  外装管
１３４  係合段部
１３５  球状体
１３６  Ｏリング
１３７  係合爪
１４  逆止弁
１４１  弁座
１５  補修材供給路
１６  補修材排出口
【図１】
0003140144.tif 000003
【図２】
0003140144.tif 000004
【図３】
0003140144.tif 000005